(57)【要約】【課題】  走行中にトレイが振動しないようにする。【解決手段】  箱型のグローブボックス本体２と、グローブボックス本体２の手前側に形成された開口部３に開閉可能に設けられたリッド４と、グローブボックス本体２内に出入自在に収納可能なトレイ１１とを備え、グローブボックス本体２の少なくとも上面壁の一部を別部材の上カバー部９で構成すると共に、上カバー部９の内面に、グローブボックス本体２の底面壁との間でトレイ１１を挟着保持するようトレイ１１の上縁部を押圧可能な凸部２１を設けるようにしている。【選択図】        図４
2005271742.tif 000002
【特許請求の範囲】
【請求項１】
箱型のグローブボックス本体と、該グローブボックス本体の手前側に形成された開口部に開閉可能に設けられたリッドと、前記グローブボックス本体内に出入自在に収納可能なトレイとを備え、
グローブボックス本体の少なくとも上面壁の一部を別部材の上カバー部で構成すると共に、
上カバー部の内面に、グローブボックス本体の底面壁との間でトレイを挟着保持するようトレイの上縁部を押圧可能な凸部を設けたことを特徴とするグローブボックス構造。
【請求項２】
トレイの底面にスライド用突起を設けると共に、グローブボックス本体の底面壁にスライド用突起が嵌入する受孔部を設けたことを特徴とする請求項１記載のグローブボックス構造。
【請求項３】
前記受孔部に、物落防止用の弾性舌片を設けたことを特徴とする請求項２記載のグローブボックス構造。
【発明の詳細な説明】
【技術分野】
【０００１】
この発明は、グローブボックス構造に関するものである。
【背景技術】
【０００２】
自動車などの車両には、車室内にグローブボックスが設けられている。このようなグローブボックスは、バケット型のものが一般的であるが、より容量の大きな箱型のものも存在する（例えば、特許文献１参照）。
【特許文献１】特開２００３−２９１７３５号公報
【発明の開示】
【発明が解決しようとする課題】
【０００３】
箱型のグローブボックスは、容量が大きいため高い収納力が得られるという利点がある反面、奥に収納した物の出し入れが不便であるという欠点がある。そこで、グローブボックスの内部にトレイを設置し、トレイを出し入れすることにより、奥に収納した物を容易に出し入れできるようにすることが検討されている。しかし、グローブボックスの内部にトレイを設置するためには、走行中にトレイが振動しない構造にする必要が生じる。
【課題を解決するための手段】
【０００４】
上記課題を解決するために、請求項１に記載された発明では、箱型のグローブボックス本体と、該グローブボックス本体の手前側に形成された開口部に開閉可能に設けられたリッドと、前記グローブボックス本体内に出入自在に収納可能なトレイとを備え、グローブボックス本体の少なくとも上面壁の一部を別部材の上カバー部で構成すると共に、上カバー部の内面に、グローブボックス本体の底面壁との間でトレイを挟着保持するようトレイの上縁部を押圧可能な凸部を設けたグローブボックス構造を特徴としている。
【０００５】
請求項２に記載された発明では、トレイの底面にスライド用突起を設けると共に、グローブボックス本体の底面壁にスライド用突起が嵌入する受孔部を設けた請求項１記載のグローブボックス構造を特徴としている。
【０００６】
請求項３に記載された発明では、前記受孔部に、物落防止用の弾性舌片を設けた請求項２記載のグローブボックス構造を特徴としている。
【発明の効果】
【０００７】
請求項１の発明によれば、箱型のグローブボックスの内部にトレイを設置し、トレイを出し入れすることにより、奥に収納した物の出し入れを容易に行うことが可能となる。また、グローブボックス本体の少なくとも上面壁の一部を別部材の上カバー部で構成することにより、型抜上の制限があってもグローブボックス本体の容量をより大きくすることができる。更に、上カバー部の内面に設けた凸部がトレイの上縁部を押圧することにより、グローブボックス本体の底面壁との間でトレイが挟着保持され、走行中のトレイの振動が防止される。
【０００８】
請求項２の発明によれば、トレイの底面に設けたスライド用突起により、トレイをスムーズに出し入れさせることができる。また、グローブボックス本体の底面壁に設けた受孔部にスライド用突起が嵌入することにより、トレイの出し入れに節度感を持たせることができる。また、受孔部にスライド用突起が嵌入するタイミングに合わせて上カバー部の凸部がトレイの上縁部を押圧してグローブボックス本体の底面壁との間でトレイを挟着保持するようにすれば、上記節度感の出た位置でトレイがロックされるので、確実に振動防止機能を作動させることができる。
【０００９】
請求項３の発明によれば、前記受孔部に設けた弾性舌片により、物落を防止することができると共に、受孔部からの中見得を防止することができる。
【発明を実施するための最良の形態】
【００１０】
走行中にトレイが振動しないようにするという目的を、グローブボックス本体の少なくとも上面壁の一部を別部材の上カバー部で構成すると共に、上カバー部の内面に、グローブボックス本体の底面壁との間でトレイを挟着保持するようトレイの上縁部を押圧可能な凸部を設ける、という手段で実現した。
【実施例】
【００１１】
以下、本発明を具体化した実施例について、図示例と共に説明する。
【００１２】
図１〜図５は、この発明の実施例を示すものである。
【００１３】
まず、構成を説明すると、自動車などの車両の車室内に箱型のグローブボックス１を設ける。このグローブボックス１は、図１、図２に示すように、箱型のグローブボックス本体２と、グローブボックス本体２の手前側に形成された開口部３に開閉可能に設けられたリッド４とを備えている。このリッド４は、開口部３に対して下開きとされている。また、グローブボックス本体２の少なくとも上面壁の一部には、別部材の上カバー部９が取付けられている。
【００１４】
上記のようなグローブボックス１に対し、この実施例のものでは、図３に示すように、グローブボックス本体２内に出入自在に収納可能なトレイ１１とを備えている。このトレイ１１は、上方に開口した深い平皿状を呈している。そして、このトレイ１１の上縁部には、全周に亘って水平折返部と垂直折返部とからなるフランジ１２が形成されている。このトレイ１１は、樹脂で形成され、所要の弾性を有している。
【００１５】
そして、図４に示すように、上カバー部９の内面に、グローブボックス本体２の底面壁との間でトレイ１１を挟着保持するようトレイ１１の上縁部を押圧可能な凸部２１を設ける。この凸部２１は、トレイ１１の背面側上縁部を押圧する位置に設けるのが好ましい。
【００１６】
更に、トレイ１１の底面にスライド用突起２４を設けると共に、グローブボックス本体２の底面壁にスライド用突起２４が嵌入する受孔部２５を設ける。スライド用突起２４と受孔部２５とは、凸部２１と対向する位置の近傍に設けるのが好ましい。
【００１７】
必要に応じて、図５に示すように、受孔部２５に、物落防止用の弾性舌片２６を設ける。この弾性舌片２６は、変形し易くするため、受孔部２５の縁部から片持状に支持するのが好ましい。
【００１８】
次に、この実施例の作用について説明する。
【００１９】
箱型のグローブボックス１は、容量が大きいため高い収納力を得ることができる。そして、箱型のグローブボックス１の内部にトレイ１１を設置し、トレイ１１を出し入れすることにより、奥に収納した物の出し入れを容易に行うことが可能となる。
【００２０】
また、グローブボックス本体２の少なくとも上面壁の一部を別部材の上カバー部９で構成することにより、型抜上の制限があってもグローブボックス本体２の容量をより大きくすることができる。即ち、グローブボックス本体２の上面壁は、グローブボックス本体２の底面壁に対して奥下がりの傾斜を付けなければ型抜きができず、その分、容量が小さくなるが、上面壁の背面側を切り欠いて上カバー部９を取付けるこにより、容量拡大を図ることが可能となる。
【００２１】
更に、上カバー部９の内面に設けた凸部２１がトレイ１１の上縁部を押圧することにより、凸部２１とグローブボックス本体２の底面壁との間でトレイ１１が挟着保持され、走行中のトレイ１１の振動が防止される。
【００２２】
また、トレイ１１の底面に設けたスライド用突起２４により、トレイ１１をスムーズに出し入れさせることができる。また、グローブボックス本体２の底面壁に設けた受孔部２５にスライド用突起２４が嵌入することにより、トレイ１１の出し入れに節度感を持たせることができる。また、受孔部２５にスライド用突起２４が嵌入するタイミングに合わせて上カバー部９の凸部２１がトレイ１１の上縁部を押圧してグローブボックス本体２の底面壁との間でトレイ１１を挟着保持するようにすれば、上記節度感の出た位置でトレイ１１がロックされるので、確実に振動防止機能を作動させることができる。
【００２３】
更に、受孔部２５に設けた弾性舌片２６により、受孔部２５からの物落を防止することができると共に、受孔部２５からの中見得を防止することができる。
【００２４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２５】
【図１】本発明の実施例にかかるグローブボックスの側方から見た斜視図である。
【図２】図１を正面側から見た斜視図である。
【図３】トレイを収納した図２と同様の正面側から見た斜視図である。
【図４】図１の側方断面図である。
【図５】弾性舌片を示す部分拡大側方断面図である。
【符号の説明】
【００２６】
２    箱型のグローブボックス本体
３    開口部
４    リッド
９    上カバー部
１１  トレイ
２１  凸部
２４  スライド用突起
２５  受孔部
２６  弾性舌片
【図１】
2005271742.tif 000003
【図２】
2005271742.tif 000004
【図３】
2005271742.tif 000005
【図４】
2005271742.tif 000006
【図５】
2005271742.tif 000007